(57)【要約】【課題】段差解消部と洗い場床の上面との間に浸入した水を簡単な構成で素早く蒸発させて乾燥させることができる浴室ドア枠における段差解消部材を提供する。【解決手段】浴室ドア枠１の下枠２と洗い場床３とのなす段差部４に配設される段差解消部材５である。段差解消部材５は、下枠２側の側端部の上縁部に比べて下枠２と離れる方の側端部の上縁部が低くなるようにスロープ部６を備える。段差解消部材５に上面側から下面側に連通する通気部７を形成する。通気部７に遮水性を有し且つ水蒸気透過性を有する通気性部材８を設ける。【選択図】図１
2009174277.tif 000002
【特許請求の範囲】
【請求項１】
浴室ドア枠の下枠と洗い場床とのなす段差部に配設される段差解消部材であって、該段差解消部材は、下枠側の側端部の上縁部に比べて下枠と離れる方の側端部の上縁部が低くなるようにスロープ部を備え、段差解消部材に上面側から下面側に連通する通気部を形成し、該通気部に遮水性を有し且つ水蒸気透過性を有する通気性部材を設けて成ることを特徴とする浴室ドア枠における段差解消部材。 
【発明の詳細な説明】
【技術分野】
【０００１】
本発明は、浴室ドア枠の下枠と洗い場床とのなす段差部に配設される浴室ドア枠における段差解消部材に関するものである。
【背景技術】
【０００２】
従来から、浴室ドア枠の下枠と洗い場床とのなす段差部に配設して段差の緩和をする段差解消部材が特許文献１により知られている。
【０００３】
ところが、上記従来例にあっては、段差解消部材と洗い場床の上面との間に浸入した水がなかなか蒸発して乾燥せず、この部分にかびが発生したりするという問題があった。
【特許文献１】特開２０００−３３７０４０号公報
【発明の開示】
【発明が解決しようとする課題】
【０００４】
本発明は上記の従来の問題点に鑑みて発明したものであって、段差解消部材と洗い場床の上面との間に浸入した水を簡単な構成で素早く蒸発させて乾燥させることができる浴室ドア枠における段差解消部材を提供することを課題とするものである。
【課題を解決するための手段】
【０００５】
上記課題を解決するために本発明に係る浴室ドア枠における段差解消部材は、浴室ドア枠１の下枠２と洗い場床３とのなす段差部４に配設される段差解消部材５であって、該段差解消部材５は、下枠２側の側端部の上縁部に比べて下枠２と離れる方の側端部の上縁部が低くなるようにスロープ部６を備え、段差解消部材５に上面側から下面側に連通する通気部７を形成し、該通気部７に遮水性を有し且つ水蒸気透過性を有する通気性部材８を設けて成ることを特徴とするものである。
【０００６】
このような構成とすることで、段差解消部材５により浴室ドア枠１の下枠２と洗い場床３とのなす段差を緩和して浴室への出入りのためのバリアフリー化ができる。また、段差解消部材５と洗い場床３との間に水が浸入しても、この段差解消部材５と洗い場床３との間に侵入した水を通気性部材８を有する通気部７から蒸発させることができて、素早く、段差解消部材５と洗い場床３との間を乾燥させることができる。しかも、通気部７に設けた通気性部材８は遮水性を有しているので、この通気性部材８を介して水が段差解消部材５と洗い場床３との間に浸入することがない。
【発明の効果】
【０００７】
本発明は、上記のように、段差解消部材に上面側から下面側に連通する通気部を形成し、通気部に遮水性を有し且つ水蒸気透過性を有する通気性部材を設けてあるので、段差解消部と洗い場床の上面との間に浸入した水を簡単な構成で素早く蒸発させて乾燥させることができて、段差解消部と洗い場床の上面との間にかびが発生したりしないようにできる。また、浴室内で使う水が段差解消部材にかかるが、この段差解消部材にかかった水が通気性部材を介して段差解消部材と洗い場床との間に浸入することがない。
【発明を実施するための最良の形態】
【０００８】
以下、本発明を添付図面に示す実施形態に基いて説明する。
【０００９】
段差解消部材５は浴室に設けられる浴室ドア枠１の下枠２と浴室の洗い場床３とのなす段差部４に配設されて浴室ドア枠１の下枠２と洗い場床３との間の段差を緩和するためのものである。
【００１０】
段差解消部材５は下枠２と略同じ長さの細長いもので、図１に示すように段差解消部材５の下枠２側の側端部は背が高く上面が水平部９となり、該水平部９と段差解消部材５の下枠２から離れる側の側端縁部との間が下枠２から離れる程低くなるように下り傾斜したスロープ部６となっている。
【００１１】
そして、図２、図３のように、段差解消部材５を浴室ドア枠１の下枠２と浴室の洗い場床３とのなす段差部４に配設して洗い場床３の上に載置した場合、段差解消部材５の下枠２側の側端部の上縁部が下枠２の洗い場床３側の上端部とほぼ同じレベルとなるようになっていると共に、下枠２と離れる方の側端部の上縁部が洗い場床３と同じレベル又は僅かに高いレベルとなるように設定してある。
【００１２】
段差解消部材５には上面側から下面側に連通する通気部７が１乃至複数形成してあり、この通気部７には遮水性を有し且つ水蒸気透過性を有する通気性部材８が設けてある。
【００１３】
つまり、段差解消部材５の下面側と上面側とは通気性部材８を設けた通気部７を介して水蒸気は透過させることができるが水は通さないようになっている。
【００１４】
上記の構成の段差解消部材５は図２、図３のように浴室ドア枠１の下枠２と浴室の洗い場床３とのなす段差部４に配設されて下面部が洗い場床３に設置されるものであり、ここで、図示を省略しているが、段差解消部材５の下枠２側の端部に下枠２に対して係止する係止部を設け、係止部を下枠２のレール部等に着脱自在に係止するようにしてもよい。
【００１５】
図２、図３のように段差解消部材５を浴室ドア枠１の下枠２と浴室の洗い場床３とのなす段差部４に配設することで、浴室への浴室ドア枠１の下枠２と浴室の洗い場床３とのなす段差を緩和してつまずくことなく浴室への出入りができることになる。
【００１６】
浴室内で湯水を使うと、段差解消部材５の下面と洗い場床３との間に水が浸入するが、本発明においては、この段差解消部材５と洗い場床３との間に侵入した水を通気性部材８を有する通気部７から蒸発させることができて、素早く、段差解消部材５の下面と洗い場床３との間を乾燥させることができる。しかも、通気部７に設けた通気性部材８は遮水性を有しているので、浴室内で使用した湯水が段差解消部材５にかかっても、段差解消部材５にかかった湯水が通気性部材８を介して段差解消部材５と洗い場床３との間に浸入することがなく、また、通気部７内に水が溜まることもない。
【００１７】
ところで、段差解消部材５と洗い場床３との間に浸入した水が長期間にわたって蒸発乾燥しないと、この部分にカビが発生したりするが、本発明にあっては、上記のように段差解消部材５の下面と洗い場床３との間に侵入した水を通気性部材８を有する通気部７を介して素早く蒸発させることができるので、この部分にカビが発生するのを抑制することができる。また、通気部７内にも水が溜まらないので、通気部７部分にもカビが発生したりしない。
【図面の簡単な説明】
【００１８】
【図１】（ａ）は本発明の斜視図で断面図であり、（ｂ）は断面図である。
【図２】同上の段差解消部材を浴室ドア枠の下枠と浴室の洗い場床とのなす段差部に配設した断面図である。
【図３】同上の段差解消部材を浴室ドア枠の下枠と浴室の洗い場床とのなす段差部に配設した斜視図である。
【符号の説明】
【００１９】
１  浴室ドア枠
２  下枠
３  洗い場床
４  段差部
５  段差解消部材
６  スロープ部
７  通気部
８  通気性部材
【図１】
2009174277.tif 000003
【図２】
2009174277.tif 000004
【図３】
2009174277.tif 000005